【事件の表示】
　特許第６４１２２４７号発明「血圧を測定するための医療装置」の特許異議申立事件について、次のとおり決定する。
【結　論】
　特許第６４１２２４７号の特許請求の範囲を訂正請求書に添付された訂正特許請求の範囲のとおり、訂正後の請求項〔１−１０〕について訂正することを認める。
　特許第６４１２２４７号の請求項１ないし１０に係る特許を維持する。
【理　由】
第１　手続の経緯
　特許第６４１２２４７号の請求項１〜１０に係る特許についての出願は、２０１５年（平成２７年）７月３０日（パリ条約による優先権主張外国庁受理２０１４年８月１日、米国）を国際出願日とする出願であって、平成３０年１０月５日にその特許権の設定登録がされ、同月２４日に特許掲載公報が発行された。その後、その請求項１〜１０に係る特許について、平成３１年４月２４日に特許異議申立人星正美（以下「申立人」という。）により特許異議の申立てがされ、当審は、令和元年６月６日付けで取消理由を通知した。
　特許権者は、その指定期間内である同年９月１０日に意見書及び訂正請求書を提出したので、当審から申立人に、取消理由通知の写し、特許権者が提出した訂正請求書及びこれに添付された訂正した特許請求の範囲の副本、並びに取消理由通知に対応する意見書副本を送付し、期間を指定して意見書を提出する機会を与えたが、申立人からは何らの応答もなかったものである。
第２　訂正の適否についての判断
１　訂正の内容
（１）訂正事項１
　特許請求の範囲の請求項１に「近位領域および遠位領域を有する長尺状シャフトであって、」と記載されているのを、「近位領域および遠位領域を有する長尺状シャフトであって、
前記近位領域および遠位領域は、前記長尺状シャフトを画定する同一の管の一部であり、
（２）訂正事項２
　特許請求の範囲の請求項５に「前記センタリング部材はコイルを備える、請求項１乃至４のいずれか１項に記載の医療装置。」とあるうち、請求項１を引用するものについて独立形式に改め、
「
血圧を測定するための医療装置であって、
　近位領域および遠位領域を有する長尺状シャフトであって、前記遠位領域は遠位内径を有し、前記近位領域は近位内径を有し、前記遠位内径は前記近位内径より大きい長尺状シャフトと、
　前記近位領域に沿って延在する光ファイバと、
　前記光ファイバに接続され、かつ、前記遠位領域に沿って配置されている光圧力センサと、
　前記光ファイバに結合され、かつ、前記光圧力センサの近位端部に配置されているセンタリング部材であって、前記遠位領域に沿って配置されているセンタリング部材と、
を備えた、血圧を測定するための医療装置であって
　前記センタリング部材はコイルを備える、
血圧を測定するための
に訂正する（請求項５の記載を引用する請求項６〜１０も同様に訂正する）。
２　一群の請求項について　
　訂正前の請求項２〜１０は、請求項１を直接的又は間接的に引用するものであるから、請求項１〜１０は一群の請求項である。
　そして、訂正事項１は、請求項１を訂正することにより連動して請求項２〜４及び６〜１０も同様に訂正するものであり、訂正事項２は、請求項１の記載を引用する請求項５の記載を請求項１の記載を引用しないものとすることにより連動して請求項６〜１０も同様に訂正するものであるから、訂正の請求は、一群の請求項ごとに請求されたものであり、特許法第１２０条の５第４項の規定を満たすものである。
３　訂正の目的の適否、新規事項の有無、特許請求の範囲の拡張・変更の存否
（１）訂正事項１について
ア　訂正の目的の適否について
　訂正事項１は、「長尺状シャフト」が「有する」「近位領域および遠位領域」を、「前記長尺状シャフトを画定する同一の管の一部」に限定するものであるから、特許法第１２０条の５第２項ただし書き第１号に掲げる特許請求の範囲の減縮を目的とするものである。
イ　新規事項の有無について
　本件特許の願書に添付した明細書、特許請求の範囲又は図面（以下「特許明細書等」という。なお、下線は当審において付与した。）には、
「【００３６】
　いくつかの実施形態において、近位部分１４および遠位部分１６は、同一の材料の一体物（ｍｏｎｏｌｉｔｈ）から形成されている。換言すると、
近位部分１４および遠位部分１６は、シャフト１２を画定する同一の管の一部である
　よって、訂正事項１は、特許法第１２０条の５第９項で準用する特許法第１２６条第５項に適合するものである。
ウ　特許請求の範囲の拡張・変更の存否
　訂正事項１は、特許請求の範囲を拡張し、又は変更するものではないから、特許法第１２０条の５第９項で準用する第１２６条第６項に適合するものである。
（２）訂正事項２について
　訂正事項２は、請求項１の記載を引用する請求項５の記載を請求項１の記載を引用しないものとするものであるから、特許法第１２０条の５第２項ただし書き第４号に掲げる他の請求項の記載を引用する請求項の記載を当該他の請求項の記載を引用しないものとすることを目的とするものである。
　そして、それは、新規事項の追加でもなく、特許請求の範囲を拡張し、又は変更するものではないから、特許法第１２０条の５第９項で準用する第１２６条第５項及び第６項に適合するものである。
４　小括
　以上のとおりであるから、訂正請求書による訂正は、特許法第１２０条の５第２項ただし書き第１号及び第４号に掲げる事項を目的とするものであり、かつ、同条第９項において準用する同法第１２６条第５項及び第６項の規定に適合する。
　したがって、特許請求の範囲を、訂正請求書に添付された訂正特許請求の範囲のとおり、訂正後の請求項〔１−１０〕について訂正することを認める。
第３　訂正後の本件発明
　訂正請求書により訂正された請求項１〜１０に係る発明（以下順に「本件訂正発明１」〜「本件訂正発明１０」という。）は、訂正特許請求の範囲の請求項１〜１０に記載された次の事項により特定されるとおりのものである。
【請求項１】
　血圧を測定するための医療装置であって、
　近位領域および遠位領域を有する長尺状シャフトであって、前記近位領域および遠位領域は、前記長尺状シャフトを画定する同一の管の一部であり、前記遠位領域は遠位内径を有し、前記近位領域は近位内径を有し、前記遠位内径は前記近位内径より大きい長尺状シャフトと、
　前記近位領域に沿って延在する光ファイバと、
　前記光ファイバに接続され、かつ、前記遠位領域に沿って配置されている光圧力センサと、
　前記光ファイバに結合され、かつ、前記光圧力センサの近位端部に配置されているセンタリング部材であって、前記遠位領域に沿って配置されているセンタリング部材と、
を備えた、血圧を測定するための医療装置。
【請求項２】
　前記センタリング部材はポリマーを含有する、請求項１に記載の医療装置。
【請求項３】
　前記センタリング部材は略円環形の断面形状を有する、請求項１または２に記載の医療装置。
【請求項４】
　前記センタリング部材は非円環形の断面形状を有する、請求項１または２に記載の医療装置。
【請求項５】
　血圧を測定するための医療装置であって、　
　近位領域および遠位領域を有する長尺状シャフトであって、前記遠位領域は遠位内径を有し、前記近位領域は近位内径を有し、前記遠位内径は前記近位内径より大きい長尺状シャフトと、　
　前記近位領域に沿って延在する光ファイバと、　
　前記光ファイバに接続され、かつ、前記遠位領域に沿って配置されている光圧力センサと、　
　前記光ファイバに結合され、かつ、前記光圧力センサの近位端部に配置されているセンタリング部材であって、前記遠位領域に沿って配置されているセンタリング部材と、　
を備えた、血圧を測定するための医療装置であって、
　前記センタリング部材はコイルを備える、血圧を測定するための医療装置。
【請求項６】
　前記シャフトは、該シャフト内に形成された複数のスロットを有する、請求項１乃至５のいずれか１項に記載の医療装置。
【請求項７】
　前記スロットのうちの少なくともいくつかは、前記センタリング部材に隣接して配置されている、請求項６に記載の医療装置。
【請求項８】
　前記センタリング部材は、前記光ファイバの外面に結合されている、請求項１乃至７のいずれか１項に記載の医療装置。
【請求項９】
　前記センタリング部材は、前記シャフトの遠位領域の内面に結合されている、請求項１乃至８のいずれか１項に記載の医療装置。
【請求項１０】
　当該医療装置は、血流予備量比を測定するためのガイドワイヤである、請求項１乃至９のいずれか１項に記載の医療装置。」
第４　取消理由通知に記載した取消理由
１　取消理由の概要
　訂正前の特許の請求項１〜１０に係る発明に対して、当審が令和元年６月６日付けで特許権者に通知した取消理由の概要は、次のとおりである。
（１）取消理由１（新規性）
　請求項１、３、６、７及び８（ただし、取消理由を通知しない請求項５、下記の取消理由２を通知する請求項２又は４を引用するものを除く。以下も同じ。）に係る発明は、本件特許出願（優先日）前に日本国内において頒布された下記の甲第１号に記載された発明であって、特許法第２９条第１項第３号に該当するから、請求項１、３、６、７及び８に係る特許は、特許法第２９条第１項の規定に違反してされたものである。
（２）取消理由２（進歩性）
　請求項２、４及び１０（ただし、取消理由を通知しない請求項５を引用するものを除く。以下も同じ。）に係る発明は、甲第１号証に記載された発明、さらには本件特許出願（優先日）前に日本国内において頒布された甲第２号証〜甲第４号証に記載された周知技術に基いて、本件特許出願（優先日）前にその発明の属する技術の分野における通常の知識を有する者が容易に発明をすることができたものであるから、請求項２、４及び１０に係る特許は、特許法第２９条第２項の規定に違反してされたものである。
　甲第１号証：特表２０１４−５０４１６６号公報 
　甲第２号証：特開２００７−２９６３５４号公報 
　甲第３号証：特表２０１４−５０３３３６号公報 
　甲第４号証：特開２０１４−１２８６４９号公報 
２　甲号証の記載について
（１）甲第１号証について
ア　記載事項について
　甲第１号証（以下「甲１」という。）には、以下の記載がある。
（甲１ア）「【発明を実施するための形態】 
【００５０】 
　添付図面にわたり、同一特徴部分は同一参照符号によって識別される。 
　以下、図面につき説明するが、特に図１〜６に
圧力ガイドワイヤ１０
【００５１】 
　図１に示す圧力ガイドワイヤの基本設計は、従来の圧力ガイドワイヤと比較して部品点数は少ないが、従来技術と同様に４個の部分、すなわち
近位部１２、中間部１４、センサハウジング部１５、及び先端部１６から構成する
最初の３つの部分１２，１４，１５は、ある程度同一軸管１８における連続性を有するよう形成し
（甲１イ）そして、上記「中間部」について以下の記載がある。 
「【００５３】 
　
中間部は
　・・・ 
【００５５】 
　
内側ハイポチューブ２０は
軸管１８内に挿入する
内側ハイポチューブ２０の外径は、軸管１８の内径に適合し
内側ハイポチューブ２０の内径は
センサ通信手段
を収容
センサ通信手段は、特に光ファイバを
　・・・ 
【００５８】 
　螺旋状に切り込みを入れた軸管部２２は、内側ハイポチューブ２０を設けたとき、所望の機械的特性を実現する。剛性（可撓性）、トルク伝達、押力伝達性及び支持機能は、内側ハイポチューブ２０によってもたらされる。内側ハイポチューブ２０の寸法は、最適な機械的性能を生ずるよう容易に適用し得る。他方で、耐よじれ性、末端部安全保持機能、及びガイドワイヤ外径連続性は、螺旋状に切り込みを入れた軸管部２２によりもたらされる。 
　・・・ 
【００６１】 
　
内側ハイポチューブ２０を軸管１８の中間部１４の端部に結合する
【００６２】 
　同様の方法を適用して、内側ハイポチューブ２０を中間部１４の他方の端部に結合することができ、この場合、別の窓２６を、軸管１８の中間部１４の末端に設ける。」 
　
（甲１ウ）また、上記「センサハウジング部」について以下の記載がある。
「【００６４】 
　
センサハウジング部１５は
センサハウジング部１５内にセンサ３４を接合又は固定する
血圧は、開口３０を経由してセンサ３４に加わる
光学式圧力センサ
【００６５】 
　血管内での圧力ガイドワイヤの位置決めを助けるために、
センサハウジング部１５内に放射線不透過性のマーカー帯状体３６を配置する
マーカー帯状体３６は
光ファイバ）に接合する
センサ３４
マーカー帯状体３６
をセンサハウジング部１５に接合することにより、圧力ガイドワイヤの内部に固定する
  
（甲１エ）上記図１及び図３として、以下の図面が記載されている。 
【図１】
【図３】
・上記図１及び図３から、センサ３４（光学式圧力センサ）は、センサハウジング部の軸管２２に沿って配置されていることが見て取れる。 
・上記図１及び図３から、帯状物３６は、センサハウジング部の軸管２２に沿って配置され、センサ３４（光学式圧力センサ）の近位端部に配置されていることが見て取れる。 
  
イ　甲１発明 
　上記（甲１ア）〜（甲１エ）の【発明を実施するための形態】及び【図３】の記載から、甲１には、以下の発明が記載されている。なお、図面番号については省略している。 
「近位部、中間部、センサハウジング部、及び先端部から構成される圧力ガイドワイヤであって、 
　近位部、中間部、及びセンサハウジング部は、ある程度同一軸管における連続性を有するよう形成され、 
　中間部において、 
　内側ハイポチューブは、軸管内に挿入され、軸管の中間部の端部に結合され、内側ハイポチューブの外径は軸管の内径に適合し、内側ハイポチューブの内径は光ファイバを収容し、 
　センサハウジング部において、 
　光学式圧力センサは、センサハウジング部の軸管に沿って配置され、センサハウジング部内に接合又は固定され、 
　放射線不透過性のマーカー帯状体は、センサハウジング部の軸管に沿って、光学式圧力センサの近位端部に配置され、光ファイバに接合し、センサハウジング部に接合することにより、光学式圧力センサがセンサ圧力ガイドワイヤの内部に固定され、 
　血圧は軸管に設けられた開口を経由して光学式圧力センサに加わる、 
圧力ガイドワイヤ。」（以下「甲１発明」という。） 
（２）甲第２号証について
　甲第２号証（以下「甲２」という。）には、以下の記載がある。
「【０００４】
　ガイドワイヤ搭載圧力センサを使用することにより決定し得る生理パラメータの一つはいわゆる血流予備量比（ＦＦＲ）であり、この血流予備量比は冠状動脈のどこかに位置した血栓の重篤度を評価するのに用いられる（例えば非許文献１参照）。ＦＦＲの診断道具としての臨床的価値は医学界においてますます受け入れられつつあり、そのことがまたより狭い動脈に、すなわち冠状動脈ツリーのさらに先へこの方法を適用したいという欲求を生じせしめている。」
（３）甲第３号証について
　甲第３号証（以下「甲３」という。）には、以下の記載がある。
「【０００２】
　インターベンショナルカーディオロジーを行う心臓病医は冠動脈等の血管内の治療部位に到達するにあたりガイドワイヤに依存する。ガイドワイヤを厳密に機構的ツールまたはガイドツールとしてのみ利用することに代わって、プレッシャワイヤおよびフローワイヤが二重機能ガイドワイヤとして格上げされると、機構的誘導および血流力学的情報が同時に提供されることとなる。ＦＡＭＥスタディの結果に基づき、冠血流予備量比（ＦＦＲ：Ｆｒａｃｔｉｏｎａｌ  Ｆｌｏｗ  Ｒｅｓｅｒｖｅ）の測定は普及しつつあり、係る測定の費用が払い戻しの対象となっている国もある。現在、ラディ（ＳＴＪにより合併された）およびボルケーノの２種類のプレッシャワイヤが市販されており、両方のガイドワイヤは、遠位ワイヤ端部において３つの電気接点を有するプッシュオンハンドルを通して接続されたＩＣ圧力センサ（歪みゲージ式）を使用する。ラディガイドワイヤの場合、コネクタハンドルは圧力値をディスプレイシステムにワイヤレスで送信する。このＦＦＲ装置は、ケーブル接続に対する改善である一方、非常に煩雑である。これは、カテーテルが挿入される都度、カテーテルがワイヤ上で進められる前に、コネクタハンドルが近位ワイヤ端部から切り離されなければならないからである。」
（４）甲第４号証について
　甲第４号証（以下「甲４」という。）には、以下の記載がある。
「【０００８】
　以上説明したような事情から、狭窄部の治療効果を予め予測する為に冠血流予備量比（ＦＦＲ；Ｆｒａｃｔｉｏｎａｌ  Ｆｌｏｗ  Ｒｅｓｅｒｖｅ）と称される指標が用いられている。ＦＦＲは、下記式によって算出される。
【０００９】
ＦＦＲ＝（Ｐｄ／Ｐｐ）　・・・（式１）
　ここで、Ｐｄ及びＰｐは、圧センサ付ガイドワイヤを狭窄部まで挿入して測定して得た圧力の値であり、狭窄部から心臓に近い側の部位での圧力をＰｐとし、狭窄部から末梢側の部位での圧力をＰｄとしている。つまり、ＦＦＲの値は、狭窄部の前後部における圧力（血圧）の比を算出することで得られる。このＦＦＲの値に基づいて、種々の治療の必要性等が判断される。換言すれば、ＦＦＲは、冠動脈病変の機能的評価の指標として冠動脈病変評価に用いられている。なお、上述した圧センサ付ガイドワイヤ自体については従来より種々のものが提案されている（例えば特許文献１乃至特許文献３参照）。」
３　当審の判断 
（１）取消理由１（新規性）及び取消理由２（進歩性）について
　上記取消理由通知においては、請求項１のみを引用する請求項９に係る発明から検討を進めていることから、当該判断においても、上記第３で記載した本件訂正発明１のみを引用する本件訂正発明９から検討することとする。
ア　本件訂正発明１のみを引用する本件訂正発明９について 
（ア）対比
　本件訂正発明１のみを引用する本件訂正発明９（ここでは、本件訂正発明１のみを引用する本件訂正発明９を「本件訂正発明９１」という。）と甲１発明とを対比する。
ａ　長尺状シャフトについて 
（ａ）長尺状シャフトの「近位領域」および「遠位領域」について、本件特許明細書には具体的な定義は記載されていないものの、下記の本願の図４において番号１１２の部分を遠位部分、番号１１４の部分を近位部分と称していることから、甲１発明の「中間部」及び「センサハウジング部」は、順に「近位領域」及び「遠位領域」に相当するといえる。
【図４】
（ｂ）甲１発明の「軸管」と「軸管」「に結合され」ている「内側ハイポチューブ」は、両者が「結合され」一体部品として把握できることから、本件訂正発明９１の「長尺状シャフト」に相当する。
　また、甲１発明の「軸管」と「軸管」「に結合され」ている「内側ハイポチューブ」において、「中間部」における内径は「内側ハイポチューブの内径」であり、「センサハウジング部」における内径は「軸管の内径」であるから、後者は前者より大きいものである。ここで、「中間部」及び「センサハウジング部」は、上記（ａ）を踏まえると、順に長尺状シャフトの「近位領域」および「遠位領域」に相当するから、甲１発明の「軸管」と「軸管」「に結合され」ている「内側ハイポチューブ」は、本件訂正発明９１の「近位領域および遠位領域を有する長尺状シャフトであって」「前記遠位領域は遠位内径を有し、前記近位領域は近位内径を有し、前記遠位内径は前記近位内径より大きい長尺状シャフト」に相当する。
（ｃ）しかしながら、引用発明における「内側ハイポチューブ」と「軸管」は、上記２（１）アの摘記（甲１イ）の【００５８】に「剛性（可撓性）、トルク伝達、押力伝達性及び支持機能は、内側ハイポチューブ２０によってもたらされる。」、「他方で、耐よじれ性、末端部安全保持機能、及びガイドワイヤ外径連続性は、螺旋状に切り込みを入れた軸管部２２によりもたらされる。」と記載されているように、それらの部品が担う役割（機能）が異なるものであるから、役割（機能）が異なるものを「同一」とはいえず、「内側ハイポチューブ」及び「軸管」の両者を「同一の管」とまではいえない。
（ｄ）よって、甲１発明の「軸管」と「軸管」「に結合され」ている「内側ハイポチューブ」と、本件訂正発明９１の「近位領域および遠位領域を有する長尺状シャフトであって、前記近位領域および遠位領域は、前記長尺状シャフトを画定する同一の管の一部であり、前記遠位領域は遠位内径を有し、前記近位領域は近位内径を有し、前記遠位内径は前記近位内径より大きい長尺状シャフト」とは、「近位領域および遠位領域を有する長尺状シャフトであって、前記遠位領域は遠位内径を有し、前記近位領域は近位内径を有し、前記遠位内径は前記近位内径より大きい長尺状シャフト」の点で共通する。
ｂ　光ファイバについて 
　甲１発明の「内側ハイポチューブの内径」に「収容」されている「光ファイバ」は、「内側ハイポチューブ」のある「中間部」の領域に沿って延在したものであるから、本件訂正発明９１の「前記近位領域に沿って延在する光ファイバ」に相当する。 
  
ｃ　光圧力センサについて 
　甲１発明の「光学式圧力センサ」は、「光ファイバ」と接続していないと圧力は測定できないことから、甲１発明の「光学式圧力センサ」は「光ファイバ」と接続しているといえる。 
　してみれば、甲１発明の「センサハウジング部の軸管に沿って配置され」ている「光学式圧力センサ」は、本件訂正発明９１の「前記光ファイバに接続され、かつ、前記遠位領域に沿って配置されている光圧力センサ」に相当する。 
  
ｄ　センタリング部材について 
　甲１発明の「センサハウジング部の軸管に沿って、光学式圧力センサの近位端部に配置され、光ファイバに接合し、センサハウジング部に接合」している「放射線不透過性のマーカー帯状体」と、本件訂正発明９１の「前記光ファイバに結合され、かつ、前記光圧力センサの近位端部に配置されているセンタリング部材であって、前記遠位領域に沿って配置され」「前記シャフトの遠位領域の内面に結合されている」「センタリング部材」とは、「前記光ファイバに結合され、かつ、前記光圧力センサの近位端部に配置されている部材であって、前記遠位領域に沿って配置され」「前記シャフトの遠位領域の内面に結合されている」「部材」の点で共通する。 
  
ｅ　医療装置について
　甲１発明の「血圧は軸管に設けられた開口を経由して光学式圧力センサに加わる」「圧力ガイドワイヤ」は、光学式圧力センサで血圧を測定するものであるから、本件訂正発明９１の「血圧を測定するための医療装置」に相当する。 
ｆ　一致点・相違点について
　上記ａ〜ｅを踏まえると、本件訂正発明９１と甲１発明とは、
（一致点） 
「血圧を測定するための医療装置であって、 
　近位領域および遠位領域を有する長尺状シャフトであって、前記遠位領域は遠位内径を有し、前記近位領域は近位内径を有し、前記遠位内径は前記近位内径より大きい長尺状シャフトと、 
　前記近位領域に沿って延在する光ファイバと、 
　前記光ファイバに接続され、かつ、前記遠位領域に沿って配置されている光圧力センサと、 
　前記光ファイバに結合され、かつ、前記光圧力センサの近位端部に配置されている部材であって、前記遠位領域に沿って配置されている部材と、 
を備え、 
　前記部材は、前記シャフトの遠位領域の内面に結合されている、血圧を測定するための医療装置。」 
の点で一致し、以下の点で一応相違する。 
  
（相違点１）
　長尺状シャフトが、本件訂正発明９１では、近位領域および遠位領域を「同一の管の一部」として「画定」しているのに対し、甲１発明では、中間部を内側ハイポチューブが、センサハウジング部を軸管が構成しており、中間部及びセンサハウジング部を「同一の管の一部」として「画定」しているとはいえない点。
（相違点２）
　光ファイバに結合され、光圧力センサの近位端部に、遠位領域に沿って配置され、シャフトの遠位領域の内面に結合されている「部材」が、本件訂正発明９１では「センタリング部材」であるのに対し、甲１発明では「放射線不透過性のマーカー帯状体」である点。
（イ）相違点の判断
　相違点１について
　上記（ア）ａ（ｃ）で述べたとおり、「内側ハイポチューブ」と「軸管」とは、担う役割（機能）が異なるものであるから、 役割（機能）が異なるものを「同一」のものとすることはできず、「内側ハイポチューブ」及び「軸管」の両者を「同一の管」とすることは、当業者が容易になし得たこととはいえない。
　してみれば、上記相違点１は、甲１発明に基づいて、当業者が容易になし得たものとはいえない。
　さらに、この点、甲２〜４は、上記２（２）〜（４）で記載したように、血圧を測定するセンサを設けたガイドワイヤによりＦＦＲ（血流予備量比）を測定することが本願優先日前に周知であることを示しているにすぎないから、甲２〜４の記載事項を参照しても、当業者が容易になし得たものとはいえない。
（ウ）小括　
　したがって、相違点２について検討するまでもなく、本件訂正発明９１は、甲１発明ではないことから、特許法第２９条第１項第３号に該当せず、特許法第２９条第１項の規定に違反してされたものではないから、取消理由１によって、本件訂正発明９１に係る特許を取り消すことはできない。
　加えて、甲１発明に基づいて、さらには、甲２〜４の記載された周知技術を参照しても、当業者が容易に発明をすることができたものとはいえないことから、特許法第２９条第２項の規定に違反してされたものでもない。
イ　本件訂正発明１について
　本件訂正発明１は、上記第３で記載されているように、本件訂正発明１のみを引用する本件訂正発明９から「前記センタリング部材は、前記シャフトの遠位領域の内面に結合されている」との事項が削除されたものであるから、本件訂正発明１と甲１発明とを対比すると、少なくとも上記ア（ア）で記載した「相違点１」の点で相違するものであり、この相違点１に対する判断は、上記ア（イ）で述べたとおりである。
　したがって、本件訂正発明１は、甲１発明ではないことから、特許法第２９条第１項第３号に該当せず、特許法第２９条第１項の規定に違反してされたものではないから、取消理由１によって、本件訂正発明１に係る特許を取り消すことはできない。
　加えて、甲１発明に基づいて、さらには、甲２〜４の記載された周知技術を参照しても、当業者が容易に発明をすることができたものとはいえないことから、特許法第２９条第２項の規定に違反してされたものでもない。
ウ　本件訂正発明２〜１０（ただし、本件訂正発明５及びそれを引用するものを除く。以下も同じ。）について
　上記イで述べたとおり、本件訂正発明１は、甲１発明ではなく、甲１発明に基づいて、さらには、甲２〜４の記載された周知技術を参照しても、当業者が容易に発明をすることができたものとはいえないことから、その本件訂正発明１を引用する本件訂正発明２〜１０についても、甲１発明ではなく、甲１発明に基づいて、さらには、甲２〜４の記載された周知技術を参照しても、当業者が容易に発明をすることができたものとはいえない。
　よって、取消理由１によって、本件訂正発明３、６〜８に係る特許を取り消すことはできず、また、取消理由２によって、本件訂正発明２〜１０に係る特許を取り消すことはできない。
第５　取消理由通知において採用しなかった特許異議申立理由について
　上記取消理由通知において、請求項５に係る発明について取消理由を通知しなかったが、特許異議申立においては、請求項５に係る発明についても、甲１発明に基いて、当業者が容易に発明をすることができたものであり、請求項５に係る特許は、特許法第２９条第２項の規定に違反してされたものであることを取消理由としているので、以下検討する。
１　対比
　本件訂正発明５と甲１発明とを対比する。
　本件訂正発明５は、上記第３で記載されているように、本件訂正発明１のみを引用する本件訂正発明９から「前記近位領域および遠位領域は、前記長尺状シャフトを画定する同一の管の一部であ」る事項及び「前記センタリング部材は、前記シャフトの遠位領域の内面に結合されている」との事項が削除され、「前記センタリング部材はコイルを備える」事項が追加されたものであるから、上記第４の３ア（ア）で述べた「対比」を踏まえると、以下のとおりである（なお、項目表す符号については、上記第４の３ア（ア）と同様に付した）。
ａ　長尺状シャフトについて 
　本件訂正発明５には、「前記近位領域および遠位領域は、前記長尺状シャフトを画定する同一の管の一部であ」るとの事項がないことから、上記第４の３ア（ア）ａ（ａ）及び（ｂ）を踏まえると、甲１発明の「軸管」と「軸管」「に結合され」ている「内側ハイポチューブ」は、本件訂正発明５の「近位領域および遠位領域を有する長尺状シャフトであって、前記遠位領域は遠位内径を有し、前記近位領域は近位内径を有し、前記遠位内径は前記近位内径より大きい長尺状シャフト」に相当する。 
ｂ　光ファイバについて
　甲１発明の「内側ハイポチューブの内径」に「収容」されている「光ファイバ」は、本件訂正発明５の「前記近位領域に沿って延在する光ファイバ」に相当する。
ｃ　光圧力センサについて
　甲１発明の「センサハウジング部の軸管に沿って配置され」ている「光学式圧力センサ」は、本件訂正発明５の「前記光ファイバに接続され、かつ、前記遠位領域に沿って配置されている光圧力センサ」に相当する。 
  
ｄ　センタリング部材について 
　甲１発明の「センサハウジング部の軸管に沿って、光学式圧力センサの近位端部に配置され、光ファイバに接合し、センサハウジング部に接合」している「放射線不透過性のマーカー帯状体」と、本件訂正発明５の「前記光ファイバに結合され、かつ、前記光圧力センサの近位端部に配置されているセンタリング部材であって、前記遠位領域に沿って配置されている」もので「コイルを備える」「センタリング部材」とは、「前記光ファイバに結合され、かつ、前記光圧力センサの近位端部に配置されている部材であって、前記遠位領域に沿って配置されている」「部材」の点で共通する。 
  
ｄ　医療装置について
　医療装置については、甲１発明の「血圧は軸管に設けられた開口を経由して光学式圧力センサに加わる」「圧力ガイドワイヤ」は、本件訂正発明５の「血圧を測定するための医療装置」に相当する。
ｅ　一致点・相違点について
　上記ａ〜ｄを踏まえると、本件訂正発明５と甲１発明とは、
（一致点） 
「血圧を測定するための医療装置であって、 
　近位領域および遠位領域を有する長尺状シャフトであって、前記遠位領域は遠位内径を有し、前記近位領域は近位内径を有し、前記遠位内径は前記近位内径より大きい長尺状シャフトと、 
　前記近位領域に沿って延在する光ファイバと、 
　前記光ファイバに接続され、かつ、前記遠位領域に沿って配置されている光圧力センサと、 
　前記光ファイバに結合され、かつ、前記光圧力センサの近位端部に配置されている部材であって、前記遠位領域に沿って配置されている部材と、 
を備え、 
　前記部材は、前記シャフトの遠位領域の内面に結合されている、血圧を測定するための医療装置。」 
 の点で一致し、以下の点で一応相違する。 
 
（相違点３）
　光ファイバに結合され、光圧力センサの近位端部に、遠位領域に沿って配置されている「部材」が、本件訂正発明５では「コイルを備える」「センタリング部材」であるのに対し、甲１発明では「放射線不透過性のマーカー帯状体」である点。 
２　判断
　甲１発明の「放射線不透過性のマーカー帯状体」は、上記第４の２（１）アの摘記（甲１ウ）の【００６５】に「
血管内での圧力ガイドワイヤの位置決めを助けるために
マーカー帯状体（バンド）またはそれ以外の類似した放射線不透過性を持たない帯状体を使用する主目的は、センサハウジング内へのセンサの組み付けを容易にできるようにすることである
　よって、「放射線不透過性のマーカー帯状体」が「センタリング」部材であるかどうかについて検討するまでもなく、甲１発明の「放射線不透過性のマーカー帯状体」を「コイルを備える」「センタリング部材」とすることは、当業者が容易になし得たことではない。
　さらに、この点、甲２〜４は、上記第４の３（１）ア（イ）で述べたように、血圧を測定するセンサを設けたガイドワイヤによりＦＦＲ（血流予備量比）を測定することが本願優先日前に周知であることを示しているにすぎないから、甲２〜４の記載事項を参照しても、当業者が容易になし得たものとはいえない。
３　小括　
　したがって、本件訂正発明５は、甲１発明に基づいて、さらには、甲２〜４の記載された周知技術を参照しても、当業者が容易に発明をすることができたものとはいえないことから、特許法第２９条第２項の規定に違反してされたものでもない。
　よって、特許異議申立理由によって、本件訂正発明５及びそれを直接的又は間接的に引用する本件訂正発明６〜１０に係る特許を取り消すことはできない。
第６　むすび
　以上のとおりであるから、取消理由通知に記載した取消理由及び特許異議申立書に記載した特許異議申立理由によっては、本件訂正発明１〜１０に係る特許を取り消すことはできない。さらに、他にこれら本件訂正発明１〜１０に係る特許を取り消すべき理由を発見しない。
　よって、結論のとおり決定する。
【異議決定日】
令和１年１１月１９日（２０１９．１１．１９）
【訂正の要旨】
審決（決定）の【理由】欄参照。
（５７）【特許請求の範囲】
　【請求項１】
　血圧を測定するための医療装置であって、
　近位領域および遠位領域を有する長尺状シャフトであって、
前記近位領域および遠位領域は、前記長尺状シャフトを画定する同一の管の一部であり、
　前記近位領域に沿って延在する光ファイバと、
　前記光ファイバに接続され、かつ、前記遠位領域に沿って配置されている光圧力センサと、
　前記光ファイバに結合され、かつ、前記光圧力センサの近位端部に配置されているセンタリング部材であって、前記遠位領域に沿って配置されているセンタリング部材と、
を備えた、血圧を測定するための医療装置。
　【請求項２】
　前記センタリング部材はポリマーを含有する、請求項１に記載の医療装置。
　【請求項３】
　前記センタリング部材は略円環形の断面形状を有する、請求項１または２に記載の医療装置。
　【請求項４】
　前記センタリング部材は非円環形の断面形状を有する、請求項１または２に記載の医療装置。
　【請求項５】
　血圧を測定するための医療装置であって、
　近位領域および遠位領域を有する長尺状シャフトであって、前記遠位領域は遠位内径を有し、前記近位領域は近位内径を有し、前記遠位内径は前記近位内径より大きい長尺状シャフトと、
　前記近位領域に沿って延在する光ファイバと、
　前記光ファイバに接続され、かつ、前記遠位領域に沿って配置されている光圧力センサと、
　前記光ファイバに結合され、かつ、前記光圧力センサの近位端部に配置されているセンタリング部材であって、前記遠位領域に沿って配置されているセンタリング部材と、
を備えた、血圧を測定するための医療装置であって、
　前記センタリング部材はコイルを備える、
血圧を測定するための
　【請求項６】
　前記シャフトは、該シャフト内に形成された複数のスロットを有する、請求項１乃至５のいずれか１項に記載の医療装置。
　【請求項７】
　前記スロットのうちの少なくともいくつかは、前記センタリング部材に隣接して配置されている、請求項６に記載の医療装置。
　【請求項８】
　前記センタリング部材は、前記光ファイバの外面に結合されている、請求項１乃至７のいずれか１項に記載の医療装置。
　【請求項９】
　前記センタリング部材は、前記シャフトの遠位領域の内面に結合されている、請求項１乃至８のいずれか１項に記載の医療装置。
　【請求項１０】
　当該医療装置は、血流予備量比を測定するためのガイドワイヤである、請求項１乃至９のいずれか１項に記載の医療装置。